(57)【特許請求の範囲】
【請求項１】
底板の正面に正面板が取り付けられ、該底板の背面に背面板が取り付けられ、該底板の両側にスライドレールが取り付けられてなる引出しユニットにおいて、
該底板は、素材を押し出して成形する押出成形により形成されるとともに、該底板の下側両縁部寄りに、固定部が引き出し方向に連続して下側に突設され、該両側の固定部間に空間が形成され、該固定部には、固定溝が、下面、正面及び背面に開口して且つ引き出し方向に連続して形成され、両側の該固定部の下面に、該スライドレールの引出し側レールの取付面が引き出し方向に連続して形成され、該引出し側レールが該取付面に当接して該底板の両側に取り付けられたことを特徴とする引出しユニット。
【請求項２】
前記固定部に設けた固定溝は、横断面の奥部を略異形丸形とする異形丸形部を有して形成され、該異形丸形部から狭窄部を経て平行溝部が該固定溝に形成されたことを特徴とする請求項１記載の引出しユニット。
【請求項３】
前記固定部の下面に設けた取付面は、該固定部の元幅より幅広に形成されたことを特徴とする請求項１記載の引出しユニット。
【請求項４】
前記底板の両側上部には、該底板上に載置する物品を支持するための支持側板部が、該底板の平面と垂直に立設されたことを特徴とする請求項１記載の引出しユニット。
【請求項５】
前記底板の正面に内側正面板が固定ネジで取り付けられ、該内側正面板は、該底板の正面側に開口する前記固定溝に該固定ネジをねじ込んで取り付けられ、該内側正面板の前面に外側正面板が固定されることを特徴とする請求項１記載の引出しユニット。
【発明の詳細な説明】
【技術分野】
【０００１】
本発明は、キッチンキャビネットなどの各種家具に使用される引出しユニットに関し、特に、引出しの底板に対し正面板、背面板を簡単に組み付けることができ、且つ各種のスライドレールを簡単に取り付けることができる引出しユニットに関する。
【背景技術】
【０００２】
従来、例えばシステムキッチンなどのキッチンキャビネットにおいて、各種大きさの引出しユニットが複数個装着されており、それらの引出しユニットには、スライドレールが装着されて、引き出し操作がスムーズにできるようになっている（例えば下記特許文献１を参照）。また、スライドレールには、ローラ型スライドレールやベアリング型スライドレールなど複数の種類があり、且つ各種のスライド長さのものがあり、それらのスライドレールは、長さなどに応じてその固定孔（取付孔）のピッチが決められ、引出しユニットの大きさ、重量、引き出し長さに応じて、選択して使用される。
【先行技術文献】
【特許文献】
【０００３】
【特許文献１】特開２００５−１４３８３０号公報
【発明の概要】
【発明が解決しようとする課題】
【０００４】
しかし、スライドレールを引出しユニットに取り付ける場合、スライドレールの本体側レールは、通常、キャビネット本体の内側に固定ネジで取り付け、引出し側レールは、引出しユニットの側板の両側に固定ネジで取り付けられる。このため、キャビネット本体の大きさや形状に応じて、引出しユニットを製作し、当該引出しユニットの大きさや形状に応じたスライドレールが選択される。スライドレールの引出し側レールには、取り付け用に固定孔が設けられ、引出しユニットの側板には、その固定孔のピッチに合せて固定用のネジ孔が形成される。
【０００５】
このため、引出しユニットが木製の場合、スライドレールの固定ピッチに応じた固定孔はその側板に比較的容易に穿設でき、或いは固定ネジを任意の位置にねじ込むことができるものの、引出しユニットが金属製やプラスチック製の場合、簡単に固定ネジ用の固定孔を設けることが難しく、引出しユニットの大きさや長さが変わるごとに、引出しユニットの設計図面を変更し、製造する必要があった。
【０００６】
また、複数種類のキッチンキャビネットなどを製造する場合、大きさや長さの異なる引出しユニットを多数製作する必要があるため、引出しユニットの製造コストの削減が課題とされていた。
【０００７】
本発明は、上述の課題を解決するものであり、異なる長さの引出しを簡単に低コストで製造することができ、各種の異なった種類や長さのスライドレールを装着することができる引出しユニットを提供することを目的とする。
【課題を解決するための手段】
【０００８】
本発明に係る引出しユニットは、底板の正面に正面板が取り付けられ、該底板の背面に背面板が取り付けられ、該底板の両側にスライドレールが取り付けられてなる引出しユニットにおいて、
該底板は、素材を押し出して成形する押出成形により形成されるとともに、該底板の下側両縁部寄りに、固定部が引き出し方向に連続して下側に突設され、該両側の固定部間に空間が形成され、該固定部には、固定溝が、下面、正面及び背面に開口して且つ引き出し方向に連続して形成され、両側の該固定部の下面に、該スライドレールの引出し側レールの取付面が引き出し方向に連続して形成され、該引出し側レールが該取付面に当接して該底板の両側に取り付けられたことを特徴とする。
【０００９】
この発明によれば、底板に正面板を取り付ける場合、底板の正面に正面板を当接させ、正面板に設けた固定孔に固定ネジを挿入し且つ該固定ネジを底板の固定部の固定溝内に正面側からねじ込むことにより、簡単に正面板を取付固定することができる。同様に、底板に背面板を取り付ける場合、底板の背面に背面板を当接させ、背面板に設けた固定孔に固定ネジを挿入し且つ該固定ネジを底板の固定部の固定溝内に背面側からねじ込むことにより、簡単に背面板を取付固定することができる。
【００１０】
さらに、引出しユニットの両側に、スライドレールの引出し側レールを取り付ける場合、引出し側レールの取付面を底板の固定部の下面に当接させ、固定ネジを下側から、引出し側レールの固定孔に挿入し、固定部の固定溝内に下側からねじ込む。これにより、引出し側レールの固定孔のピッチに関わらず、引出し側レールを簡単に取り付けることができる。このため、各種固定孔のピッチを有する各種のスライドレールを引出しユニットに取り付けることができる。
【００１１】
さらに、上記固定溝は底板の下側に連続して形成されるので、引出しユニットをソフトクローズする自動引込装置を、底板の下側に該固定溝を利用して簡便に取り付けることができ、従来のように、自動引込装置のための固定孔を底板に設ける必要はなく、簡単に自動引込装置を取り付けることができる。
【００１２】
ここで、上記固定部に設けた固定溝は、横断面の奥部を略異形丸形とする異形丸形部を有し、矩形部から狭窄部を経て平行溝部を形成することが好ましい。これによれば、正面板、背面板を底板に取り付ける際、固定ネジを、正面或いは背面側から、固定溝にねじ込んで、簡単に取付け固定することができる。また、底板の両側にスライドレールの引出し側レールを取り付ける際、底板の底面側から固定ネジを固定溝にねじ込んだとき、固定ネジの先端ぶを異形丸形部の手前の狭窄部から異形丸形部に噛合させて、固定ネジを強固にねじ込むことができる。
【００１３】
また、上記底板の両側上部には、該底板上に載置する物品を支持するための支持側板部を、底板の平面と垂直に立設することが好ましい。これによれば、底板を押出成形する際、同時に支持側板部を簡単に成形することができ、底板上に載置する収納ケースなどを、支持側板部で支持するように使用することができる。
【００１４】
さらに、上記底板の正面に内側正面板を固定ネジで取り付け、該内側正面板は、該底板の正面側に開口する前記固定溝に該固定ネジをねじ込んで取り付け、該内側正面板の前面に外側正面板を固定するように構成することができる。これによれば、内側正面板には押出成形材の切断端部を被覆する機能を持たせ、その前面に外側正面板として、任意の化粧板などを用途に合せて固定することができる。
【発明の効果】
【００１５】
この発明の引出しユニットによれば、異なる長さの引出しを簡単に低コストで製造することができ、且つ各種の異なった種類や長さのスライドレールを装着することができる。
【図面の簡単な説明】
【００１６】
【図１】本発明の引出しユニットの一実施形態を示す斜視図である。
【図２】同引出し本体の底板の拡大正面図である。
【図３】同底板の右側面図である。
【図４】同底板の平面図である。
【図５】（ａ）は底板にスライドレールの引出し側レールを取り付けた状態の正面図、（ｂ）はその背面図である。
【図６】同引出し側レールを取り付けた底板の右側面図である。
【図７】同引出し側レールを取り付けた底板の平面図である。
【図８】底板と正面板の分解斜視図である。
【図９】底板に背面板を取り付ける際の分解斜視図である。
【図１０】底板に左側の引出し側レールを取り付ける際の分解斜視図である。
【図１１】底板に右側の引出し側レールを取り付ける際の分解斜視図である。
【図１２】引出し本体の内側正面板に外側正面板を取り付ける際の分解斜視図である。
【図１３】キャビネット本体の部分断面付きの引出し本体の右側面図である。
【図１４】外側正面板付きの引出し本体の正面図である。
【図１５】引出しユニットの使用形態を示し、小物入れを収納した状態の斜視図である。
【図１６】引出しユニットの使用形態を示し、別の小物入れを収納した状態の斜視図である。
【図１７】引出しユニットの使用形態を示し、フレーム構造体を収納して使用する場合の分解斜視図である。
【発明を実施するための形態】
【００１７】
以下、本発明の一実施形態を図面に基づいて説明する。図１に示すように、この引出しユニットの引出し本体５は、底板６の正面に内側正面板７が取り付けられ、底板６の背面に背面板８が取り付けられ、内側正面板７の前面に外側正面板１７が取り付けられて構成され、底板６の両側にスライドレール２０の引出し側レール２１が取り付けられる。底板６は、アルミニウムなどの金属材或いは硬質合成樹脂などの素材を、押出型を用いて押し出して成形する押出成形により、所定の横断面形状をもって板状に形成される。
【００１８】
底板６は、図２〜図４に示すように、その底板本体１０が引き出し方向に長尺として平板状に押し出し成形され、底板本体１０の上面は平坦面を有し、上面の両側縁部には支持側板部１１が一体成形により上側に突出して形成される。上面両側の支持側板部１１は、底板本体１０の平面から垂直に立ち上げられ、引出しユニットの使用時に、内側に収納される小物入れなどの収納ケースを両側から支持する構造となっている。また、両側の支持側板部１１は、内側正面板７、背面板８に比して大幅に低く（その高さの２０％程度の高さ）形成され、小物入れなどの収納ケースを引出しユニット内に容易に収納できるようになっている。
【００１９】
さらに、底板６の下側両縁部寄りには、図２に示すように、固定部１２が引き出し方向に沿って連続して、下側に突設される。両側の固定部１２間には、図５に示す如く、空間が形成される。下面両側の固定部１２には、固定溝１３が、その下面から上方に向けて形成され、固定溝１３は、底板６の正面及び背面に開口して且つ引き出し方向に沿って連続して形成される。
【００２０】
固定溝１３は、図２に示すように、最も奥につまり溝の上部に横断面を略異形丸形（丸形や菱形などを含む）とする異形丸形部１３ａが形成され、その異形丸形部１３ａの下部に狭窄部１３ｂが形成される。狭窄部１３ｂから下方は、平行な側壁の平行溝１３ｃとなっている。これにより、図５のように、固定溝１３の下側から固定ネジ１９をねじ込んだとき、固定ネジ１９が狭窄部１３ｂに強固に噛合し、各種の取付ピッチの引出し側レール２１を取付可能な構造となっている。
【００２１】
また、内側正面板７または背面板８を、底板６の正面または背面に取り付ける場合、上記固定部１２の固定溝１３が、内側正面板７または背面板８の取り付けにも使用される。つまり、図８，９に示すように、固定ネジ１９を内側正面板７または背面板８に設けた２個の固定孔に差し込み、さらに、それらの固定ネジ１９の先端を固定溝１３の正面側または背面側からねじ込み、内側正面板７及び背面板８を底板６に固定する構造となっている。
【００２２】
底板６の両側の固定部１２の下面は、図２、図９に示すように幅広に形成され、スライドレールの引出し側レール２１を底板６に取り付ける際、その取付面となるように、引き出し方向（長手方向）に沿って平坦な取付面１４が形成される。これにより、引出し側レール２１を底板６に取り付ける際、図１０，１１に示すように、引出し側レール２１の内側を、取付面１４に当接して底板６の両側に、引出し側レール２１を、安定して簡単に取り付けることができる。また、引出し側レール２１を底板６の下面に取り付ける際、固定部１２の固定溝１３に固定ネジ１９をねじ込み固定するため、引出し側レール２１の固定孔２１ｂのピッチ（２個の固定孔の間隔）が相違する異種のスライドレールであっても、取り付けることができるようになっている。
【００２３】
すなわち、図８、９に示す如く、底板６の正面に、内側正面板７が取り付けられ、底板６の背面に、背面板８が取り付けられるが、このために、図２に示すように、固定溝１３が、底板６の両側の固定部１２の正面と背面に、固定溝１３が開口して形成され、さらに固定溝１３の奥には異形丸形部１３ａが形成されている。このため、内側正面板７及び背面板８を固定する際、固定ネジ１９を正面側または背面側から、両側の固定溝１３の異形丸形部１３ａにねじ込めば、穴加工をすることなく、内側正面板７及び背面板８を、簡単に且つ強固に固定することができる。
【００２４】
一方、内側正面板７の前面には、図１、１２に示すように、外側正面板１７が取り付けられる。外側正面板１７は、引出しの正面意匠を形成するもので、化粧板などによりキャビネット本体の引出し用開口部の大きさに合せて、任意の大きさに形成される。外側正面板１７は、図１２に示すように、内側正面板７に形成された２個の固定孔に、内側から固定ネジ１９を挿入して、外側正面板１７にねじ込み、内側正面板７の前面に取り付けられる。
【００２５】
上記のように、底板６は、金属材などを押し出し成形して形成されるので、その長さは任意の長さとして製造することができ、異なる長さの複数種の引出しユニットを、同じ押出型を用いて安価に製造することができる。また、底板６は、押出成形され、その両端部が切断端となるが、内側正面板７及び背面板８が底板６の切断端部を被覆して固定されるので、引出し本体５にはスライドレールなどの部品を安全に取り付けることができる。
【００２６】
上記構成の引出しユニットを組み立てる場合、図８〜図１２に示すように、先ず、底板６の正面に内側正面板７を、固定ネジ１９で固定して取り付け、底板６の背面に背面板８を、固定ネジ１９で固定して取り付け、引出し本体５を組み立てる。このとき、固定ネジ１９は内側正面板７に設けた２個の固定孔に正面側から挿入し、または背面側から背面板８に設けた２個の固定孔に挿入し、底板６の両側の固定溝１３に対し、その正面側または背面側に開口する異形丸形部１３ａにねじ込み、固定する。このため、内側正面板７と背面板８には、底板６の２個の固定溝１３の位置に合せて、固定孔を穿設するのみで、内側正面板７及び背面板８を取り付けることができる。
【００２７】
次に、底板６の両側底部に、スライドレールの引出し側レール２１を固定ネジ１９により固定して取り付ける。このとき、図１０，１１に示す如く、引出し側レール２１の下側水平姿勢の取付板２１ａを、底板６の固定部１２の下面の取付面１４に当て、固定ネジ１９を取付面１４の固定孔２１ｂから固定部１２の固定溝１３内にねじ込むようにする。
【００２８】
これにより、固定ネジ１９は、長手方向（引出し方向）に連続する固定溝１３内の内壁及び狭窄部１３ｂに、噛合してねじ込まれるため、強固にねじ止めることができる。さらに、引出し側レール２１の固定孔２１ｂのピッチ（長手方向の位置）が相違した場合、つまり異なったタイプのスライドレールを、底板６の下面両側に取り付ける場合、固定溝１３は長手方向に連続するため、対応することができる。これにより、底付けタイプのローラ式スライドレールなどにおいて、異なった長さの各種スライドレールの引出し側レール２１を、底板６の下面両側に、簡単に取り付けることができる。
【００２９】
さらに、図１２に示すように、内側正面板７の前面に、引出しの正面意匠を形成する外側正面板１７が固定される。引出し本体５の形状及び大きさを基本形状とし、任意の形状や意匠を有する化粧板などの外側正面板１７を、引出しユニットに応じて選択し、取り付けるように使用することができる。図１３，１４に示すように、引出しユニットはキャビネット本体２５内に形成される引出し用空間内に、引き出し可能に挿入されるが、キャビネット本体２５内には、引出し側レール２１に対向する同一の高さ位置に、キャビネット側レール２２が取り付けられる。引出し側レール２１のローラ２１ｃがキャビネット側レール２２上に、転動可能に載置されるように、引出し側レール２１はキャビネット側レール２２に係合して装着される。
【００３０】
また、図１３，１４のように、引出し本体５の底部に、引出しユニットを引き込むようにソフトクローズする既存の引出し用の自動引込装置２９が、上記固定溝１３を利用して取り付けられる。引出し用の自動引込装置２９は、引出しを引き戻す方向に付勢する引き戻しばねと、引出しの引き戻し動作をスローにするダンパーを備え、既知の構造であるが、通常、２本の固定ネジで引出しの側面或いは底面に取り付けられる。この引出しユニットでは、引出し本体５の底部に、底板や側板に固定孔を穿設することなく、底板６の固定溝１３と固定ネジ１９を用いて、自動引込装置２９を簡単に取り付けることができる。
【００３１】
次に、上記構成の引出しユニットの使用形態を説明すると、この引出しユニットは、図１３〜図１７に示すように、例えば、システムキッチンなどのキッチンキャビネットにおいて、小型の小引出しとして使用される。図１５に示す例では、３個の小物入れ３０が、引出しユニットの引出し本体５内に並べて、出し入れ自在に載置されるように使用される。引出し本体５の側面部は、高さの低い支持側板部１１があるのみで、引出し本体５の上面は開放されるため、３個の小物入れ３０は容易に出し入れすることができる。また、各小物入れ３０は、正面視を扇形状に形成され、円弧面を開放した箱状に形成されるので、調味料などの小瓶を収納する。
【００３２】
この引出しユニットは、図１３，１４に示すように、その幅寸法に比して高さ寸法が高く形成され、キッチンキャビネットの引出しのように、引出し本体５の外側正面板１７の高さ寸法を高く形成して、出し入れがし易く、縦長の小瓶なども収納することができる。
【００３３】
また、図１６に示すように、直方体箱状に形成された２個の小物入れ３１を、引出し本体５内に並べて、出し入れ自在に載置することもできる。この場合も同様に、調味料などの小瓶を小物入れ３１内に収納することができ、調理する際、引出しユニットを引き出し、小物入れ３１ごと調味料などの小瓶を簡単に取り出し、キッチンカウンター上に置いて便利に使用することができる。
【００３４】
さらに、図１７に示すように、引出し本体５上に、フレーム構造体３２を載置して嵌め込み、使用することもできる。このフレーム構造体３２は、２本のシャフト３２ａを底板６の幅と同じ間隔で前後方向に平行に配置し、シャフト３２ａの前部と中間部と後部に仕切板３２ｂを垂直に取り付けて構成される。フレーム構造体３２は図１４に示すように、その前部の仕切板３２ｂを内側正面板７の内側に挿入し、その後部の仕切板３２ｂを背面板８の内側に挿入するようにして、引出し本体５の上に簡単に嵌め込むことができる。使用時には、２本のシャフト３２ａ間の空間に、調味料などの小瓶を収納し、簡単に出し入れして使用できる。
【００３５】
このように、引出し本体５を基本構造とし、その底板６上に、小物入れ３０、小物入れ３１、またはフレーム構造体３２を、ユーザーが、使い勝手に合せて、任意に装着して或いは交換して便利に使用することができる。
【符号の説明】
【００３６】
５      引出し本体
６      底板
７      内側正面板
８      背面板
１０    底板本体
１１    支持側板部
１２    固定部
１３    固定溝
１３ａ  異形丸形部
１３ｂ  狭窄部
１３ｃ  平行溝
１４    取付面
１７    外側正面板
１９    固定ネジ
２０    スライドレール
２１    引出し側レール
２１ａ  取付板
２１ｂ  固定孔
２１ｃ  ローラ
２２    キャビネット側レール
２５    キャビネット本体
２９    自動引込装置
３２    フレーム構造体
３２ａ  シャフト
３２ｂ  仕切板
【図１】
0006495101.tif 000002
【図２】
0006495101.tif 000003
【図３】
0006495101.tif 000004
【図４】
0006495101.tif 000005
【図５】
0006495101.tif 000006
【図６】
0006495101.tif 000007
【図７】
0006495101.tif 000008
【図８】
0006495101.tif 000009
【図９】
0006495101.tif 000010
【図１０】
0006495101.tif 000011
【図１１】
0006495101.tif 000012
【図１２】
0006495101.tif 000013
【図１３】
0006495101.tif 000014
【図１４】
0006495101.tif 000015
【図１５】
0006495101.tif 000016
【図１６】
0006495101.tif 000017
【図１７】
0006495101.tif 000018